(57)【要約】【課題】オペレーションシステムを有するコンピュータシステムにおいて、周辺機器を前記コンピュータシステムに接続して機能を拡張するとき、前記周辺機器のドライバスフトやアプリケーションソフトのインストール作業を不要とする周辺機器の機能拡張方式を提供することを目的とする。【解決手段】オペレーションシステムと所定のインタフェースとを有するコンピュータシステムに周辺機器を接続し前記コンピュータシステムの機能を拡張する方法において、オペレーションシステムの有するオートラン機能を利用し、前記周辺機器を制御するためのドライバソフト或いはアプリケーションソフトを前記周辺機器から前記コンピュータシステムに自動的にインストールするコンピュータシステムの機能拡張方法。【選択図】                  図１
2004272764.tif 000002
【特許請求の範囲】
【請求項１】
オペレーションシステムと所定のインタフェースとを有するコンピュータシステムに周辺機器を前記インタフェースを介して接続し前記コンピュータシステムの機能を拡張する方法において、前記周辺機器は前記コンピュータシステムに接続する所定のインタフェースと、前記インタフェースを介してコンピュータシステムに接続するＣＤ−ＲＯＭドライブ模擬手段と、ソフトウェア等のプログラムを格納するソフト格納手段とを備え、前記ＣＤ−ＲＯＭドライブ模擬手段はファイル読み出し手段と第１のファイル模擬手段と第２のファイル模擬手段とを有し、前記ソフト格納手段は前記周辺機器を前記コンピュータシステムで制御するためのドライバソフトと該ドライバソフトを前記コンピュータシステムにインストールするためのインストールプログラムとを格納しており、前記周辺機器を前記コンピュータシステムに接続したとき、
前記オペレーションシステムが有するＣＤ−ＲＯＭドライブを検出する機能（プラグアンドプレイ機能）及びＣＤ−ＲＯＭの有無を検出し前記ＣＤ−ＲＯＭのルートディレクトリ上のファイルを自動的に読み出して実行する機能（オートラン機能）とが働き、前記ファイル読み出し模擬手段を介して前記第１のファイル模擬手段を読み出し前記第２のファイル模擬手段（起動ファイル）のファイル名を特定すると共に、前記ファイル読み出し模擬手段を介して前記第２のファイル模擬手段を読み出して、前記第２のファイル模擬手段の内容に従い前記ソフト格納手段内のインストールプログラムをコンピュータシステム内に読み出して実行し、前記インストールプログラムに従いソフト格納手段内のドライバソフトをコンピュータシステムにインストールしたことを特徴とするコンピュータシステムの機能拡張方法。
【請求項２】
前記周辺機器がＵＳＢインタフェースを備えたＵＳＢデバイスであることを特徴とする、請求項１記載のコンピュータシステムの機能拡張方法。
【請求項３】
前記ソフト格納手段の中に前記周辺機器の機能を拡張するアプリケーションソフトを格納しておき、前記インストールプログラムに従い該アプリケーションソフトをコンピュータシステムにインストールしたことを特徴とする請求項１、または請求項２の何れかに記載のコンピュータシステムの機能拡張方法。
【請求項４】
前記ドライバソフトに対応する第３のファイル模擬手段を前記ＣＤ−ＲＯＭドライブ模擬手段に設けたことを特徴とする請求項１、請求項２、または請求項３の何れかに記載のコンピュータシステムの機能拡張方法。
【請求項５】
前記アプリケーションソフトに対応する第４のファイル模擬手段を前記ＣＤ−ＲＯＭドライブ模擬手段に設けたことを特徴とする請求項１、請求項２、請求項３、または請求項４の何れかに記載のコンピュータシステムの機能拡張方法。
【発明の詳細な説明】
【０００１】
【発明の属する技術分野】
本発明は、コンピュータシステムに周辺機器を接続して、機能を拡張する方法に関する。
【０００２】
【従来の技術】
近年パーソナルコンピュータは、ハードウェアの機能、性能の向上と基本ソフトやアプリケーションソフトといったソフトウェアの機能充実に伴い、その利用分野と応用範囲をますます拡大している。本格的な情報化社会を迎えるにあたり、今やパーソナルコンピュータ（パソコン）は情報化社会を支える重要な手段であり、様々な機器（周辺機器）を接続する必要性も高まってきている。従って、パソコンには今後とも益々高い機能拡張性が要求されることは間違いない。
【０００３】
ところで、一般的なパソコンはプリンタやスキャナーを始め、或いはスピーカーといったオーディオ機器に至るまで様々な周辺機器を接続できるようになっているが、パソコン内部ではＯＳ（基本ソフト）やアプリケーションやデバイスドライバといったソフトウェア群が一体となって、これら周辺機器を制御していることは周知のことである。パソコン内部では前記ソフトウェア群とハードウェアが連携して作動し、適当なインタフェースを介して周辺機器に対して信号を送り、周辺機器から電気信号を受信する。その結果、周辺機器の動作を制御したり、周辺機器からデータを読みとることができる。このようにパソコンはいろいろな周辺機器を接続できるように、ＵＳＢ等の汎用インタフェースを標準で用意している。
【０００４】
ところで、今、全く新しい周辺機器を製造し、これを既存のパソコンへ追加接続することを考える。例えば、まず、パソコンにＣＤ−ＲＯＭドライブとスピーカをＵＳＢ等のインタフェースで接続して起動しておく。このとき、音楽用ＣＤをＣＤ−ＲＯＭドライブに挿入すると自動的にスピーカから音楽が流れるようになっているので、パソコンをジュークボックスとして使うことができる。
そこへ、新しく開発した周辺機器として「マイク」をＵＳＢ等に追加接続して、今までジュークボックスとして機能していたパソコンを「カラオケ装置」として機能させることを考える。このように、既存の状態に周辺機器を追加接続して、新たに機能を付加することを一般に機能拡張と呼んでいる。
【０００５】
ところが、新しく開発したマイクを単にパソコンのＵＳＢに接続するだけでは、ジュークボックスがカラオケ装置に早変わりするといったことは通常はあり得ない。
なぜなら、マイクにカラオケ機能を持たせるためには、その機能を働かせるためのソフトウェア（アプリケーションやデバイスドライバ）をパソコンにインストールしなければならないからである。
一方、Ｗｉｎｄｏｗｓ９８（米国Ｍｉｃｒｏｓｏｆｔ社の登録商標）以降の基本ソフトを搭載したパソコンにはＵＳＢインタフェースや、ＵＳＢインタフェースで接続するためのＣＤ−ＲＯＭドライブ用のソフトウェアが一式標準装備されている。このため、ユーザはＵＳＢインタフェース（勿論ＩＤＥインタフェース仕様のものでも良い）のＣＤ−ＲＯＭドライブを接続してパソコンを起動するだけで、ＣＤ−ＲＯＭドライブはそのまま使用可能な状態となっている。
【０００６】
従って、ユーザはマイク（周辺機器）に添付したＣＤ−ＲＯＭ（アプリケーションやデバイスドライバの記録媒体）をＣＤ−ＲＯＭドライブに装着し、インストールを実行するとマイク（周辺機器）を使うことが可能になる。
インストールを開始するには、セットしたＣＤ−ＲＯＭに収められているセットアッププログラムのファイルをマウスでダブルクリックし、これを起動させればよい。後はパソコンの表示画面に表示されたインストールメニューに従い、順次必要なものを選択していけばインストール作業が完了する。
しかしながら、このようなインストール作業は周辺機器を追加するたびに、その都度ユーザが実施しなければならないので、大変煩雑なものとなっている。また、ドライバ等を納めたＣＤ−ＲＯＭ等の媒体を周辺機器毎に管理するのもユーザにとって非常に煩雑である。
【０００７】
そこで、前記インストール作業を自動化しユーザーの負担を軽減する技術が特開平１１−５３２８９号公報に開示されている。ここに開示されている技術は、情報処理装置（パソコン）に周辺装置等の拡張機能装置を接続するだけで、ドライバソフト等のソフトウェアを自動的にインストールすると共にバーションアップを自動化したものである。情報処理装置は周辺装置の接続を自動的に検知し、周辺装置から転送されて来たソフトウェア情報と情報装置自体が既に持っているソフトウェア情報とネットワークを介して入手したソフトウェア情報とを比較し、最新のバージョンのものを情報装置内に記憶保存できるようになっている。
【０００８】
【発明が解決しようとする課題】
しかしながら、特開平１１−５３２８９号公報に開示されている技術は、以下のような問題がある。すなわち、ドライバソフト等のソフトウェアを情報装置に自動的にインストールし、更にバージョンアップを自動化できるという利点を有している一方、情報装置側には事前にインストールやバージョンアップの手順を示したインストールプログラム（インストーラ）を導入しておかなければならない。
すなわち、インストールを開始する主体はあくまで情報装置側にあり、情報装置側で周辺装置の接続を検出したとき、情報装置内部のインストーラが自動的に起動するようになっている。従って、事前に前記インストーラをすべての情報装置内に保存しておく必要があるので、ユーザに対して情報装置（パソコン）毎にインストーラの導入作業を強いることになり煩雑なものとなる。
【０００９】
また、周辺機器を出張等で外部に持ち出し、他の情報装置に接続して使うといった場合には、別途インストーラをＣＤ−ＲＯＭやフロッピーディスク等の媒体に納めて持ち歩かなければならない。
よって、周辺装置をつなぎさえすればいつでもどこでも即使えるようになるといった究極の要求には十分応えきれていないのが現状である。本発明は上記問題点を解決するためになされたものであって、全く新しい機器をパソコンへ接続するだけで、ユーザにインストール作業を負担させることなく、すぐにその周辺機器が機能するパソコンの機能拡張方法を提供するものである。
【００１０】
【課題を解決するための手段】
上記目的を解決する為に本発明に係わる請求項１記載の発明は、オペレーションシステムと所定のインタフェースとを有するコンピュータシステムに周辺機器を前記インタフェースを介して接続し前記コンピュータシステムの機能を拡張する方法において、前記周辺機器は前記コンピュータシステムに接続する所定のインタフェースと、前記インタフェースを介してコンピュータシステムに接続するＣＤ−ＲＯＭドライブ模擬手段と、ソフトウェア等のプログラムを格納するソフト格納手段とを備え、前記ＣＤ−ＲＯＭドライブ模擬手段はファイル読み出し手段と第１のファイル模擬手段と第２のファイル模擬手段とを有し、前記ソフト格納手段は前記周辺機器を前記コンピュータシステムで制御するためのドライバソフトと該ドライバソフトを前記コンピュータシステムにインストールするためのインストールプログラムとを格納しており、前記周辺機器を前記コンピュータシステムに接続したとき、前記オペレーションシステムが有するＣＤ−ＲＯＭドライブを検出する機能（プラグアンドプレイ機能）及びＣＤ−ＲＯＭの有無を検出し前記ＣＤ−ＲＯＭのルートディレクトリ上のファイルを自動的に読み出して実行する機能（オートラン機能）とが働き、前記ファイル読み出し模擬手段を介して前記第１のファイル模擬手段を読み出し前記第２のファイル模擬手段（起動ファイル）のファイル名を特定すると共に、前記ファイル読み出し模擬手段を介して前記第２のファイル模擬手段を読み出して、前記第２のファイル模擬手段の内容に従い前記ソフト格納手段内のインストールプログラムをコンピュータシステム内に読み出して実行し、前記インストールプログラムに従いソフト格納手段内のドライバソフトをコンピュータシステムにインストールしたものである。
【００１１】
本発明に係わる請求項２記載の発明は、請求項１において、前記周辺機器がＵＳＢインタフェースを備えたＵＳＢデバイスである。
本発明に係わる請求項３記載の発明は、請求項１、または請求項２において、前記ソフト格納手段の中に前記周辺機器の機能を拡張するアプリケーションソフトを格納しておき、前記インストールプログラムに従い該アプリケーションソフトをコンピュータシステムにインストールしたものである。
【００１２】
本発明に係わる請求項４記載の発明は、請求項１、請求項２、または請求項３において、前記ドライバソフトに対応する第３のファイル模擬手段を前記ＣＤ−ＲＯＭドライブ模擬手段に設けるようにしたものである。
本発明に係わる請求項５記載の発明は、請求項１、請求項２、請求項３、または請求項４において、前記アプリケーションソフトに対応する第４のファイル模擬手段を前記ＣＤ−ＲＯＭドライブ模擬手段に設けるようにしたものである。
【００１３】
【発明の実施の形態】
以下、図示した実施例に基づいて本発明を詳細に説明する。
図１は本発明に係わる第１の実施例として、カラオケマイクを周辺機器１としてパソコン２に接続した例を示したものであって、他の周辺機器３（スピーカ）と共にパソコン２へ接続した様子を示している。
図１において、カラオケマイク（周辺装置１）はパソコン２へ接続するためのＵＳＢインタフェース４と、前記パソコン２側から前記ＵＳＢインタフェース４を介して見たときＣＤ−ＲＯＭを装着した状態のＣＤ−ＲＯＭドライブとして認識されるＣＤ−ＲＯＭドライブ模擬手段５と、インストールプログラム６とマイク用ドライバ７（ドライバソフト）とカラオケソフト８（アプリケーションソフト）とを記憶格納するソフト格納手段９と、音声を電気信号に変換する機能や音量設定機能やエコー量の設定機能といったカラオケマイクが有するマイク機能要素１０とを備えている。
【００１４】
さらに、前記ＣＤ−ＲＯＭドライブ模擬手段５は、パソコン２からの指示でファイル読み出しを実行するファイル読み出し模擬手段１１と、前記パソコン２からの指示があったとき前記ファイル読み出し模擬手段１１が読み出すべきインストールプログラムのファイル名が記録された第１のファイル模擬手段１２と、前記第１のファイル模擬手段５が指定するインストールプログラムのファイルを模擬する第２のファイル模擬手段１３と、カラオケマイク（周辺機器１）のデバイスドライバに対応する第３のファイル模擬手段１４と、アプリケーションソフトのファイルに対応する第４のファイル模擬手段１５とを備えている。
【００１５】
また、パソコン２はＵＳＢインタフェース１６と、前記ＵＳＢインタフェース１６に接続された周辺機器を自動的に認識するプラグアンドプレイ機能１７と、前記プラグアンドプレイ機能１７にて新規に認識した周辺機器（ＣＤ−ＲＯＭドライブ）に装着した媒体上のファイルを読み出しこれを自動的に実行するオートラン機能１８と、前記ＵＳＢインタフェース１６を介して接続したスピーカ（周辺機器３）を制御するためのスピーカ用ドライバ１９とを標準で備えている。
なお、前記スピーカ（周辺機器３）はＵＳＢインタフェース２０と、前記ＵＳＢインタフェース１６、２０を介してパソコン２から供給された信号を音として再生するスピーカ機能要素２１とを備えている。
【００１６】
図１に示した周辺機器１は以下のように動作する。
まず、スピーカ（周辺機器３）のみをパソコン２に接続して起動した状態を考える。パソコン２の電源を投入すると、パソコン２内部においてハードディスク（図示しない）からメモリ（図示しない）へオペレーションシステム（Ｗｉｎｄｏｗｓ９８以降を想定）が読み込まれオペレーションシステムが起動する。このとき、周辺機器３（スピーカ）のドライバがハードディスク（表示しない）からメモリ（表示しない）に自動的に読み込まれ周辺機器３が制御できる状態となる。
【００１７】
次に、ＵＳＢインタフェース１６に周辺機器１を接続する。このとき、周辺機器１の有するＣＤ−ＲＯＭドライブ模擬手段５はＵＳＢインタフェース４を介してＧＵＩＤというデバイスＩＤに基づく電気信号をパソコン２に送出する。
ここで、パソコン２（オペレーションシステム）にはもともと前記ＧＵＩＤを受信し周辺機器が接続されたか否かを自動的に認識するプラグアンドプレイ機能１７が備わっている。従って、パソコン２は前記ＧＵＩＤに基づく電気信号をＵＳＢインタフェース１６を介して受信し、新しい周辺機器１の接続があったことを検出すると、標準で備えるＣＤ−ＲＯＭドライブのドライバをハードディスク（図示しない）からメモリ（図示しない）へ読み出し、前記周辺機器１はＣＤ−ＲＯＭドライブとして認識された状態となる。
【００１８】
ここで、周辺機器１の有するＣＤ−ＲＯＭドライブ模擬手段５はコンピュータシステムから見たとき、あたかもＣＤ−ＲＯＭが装着された状態のＣＤ−ＲＯＭドライブとして模擬的に実現されている。
従って、オペレーションシステムはプラグアンドプレイ機能１７に続きオートラン機能（又はオートプレイ機能とも呼ばれる）１８を起動させ、ＣＤ−ＲＯＭドライブ模擬手段５に模擬的に装着したＣＤ−ＲＯＭのルートディレクトリを検索してａｕｔｏｒｕｎ．ｉｎｆというファイルを自動的に探すようになっている。
【００１９】
そこで、ＣＤ−ＲＯＭドライブ模擬手段５のファイル読み出し模擬手段はオペレーションシステムの指示に従い、ＣＤ−ＲＯＭドライブ模擬手段５に模擬的に存在するＣＤ−ＲＯＭのルートディレクトリを検索する。（ＣＤ−ＲＯＭドライブ模擬手段５はマイクロコンピュータ、メモリ、ソフトウェアで構成して実現するのが一般的であるが、どのような構成であっても構わない。）
【００２０】
このとき、前記ＣＤ−ＲＯＭ模擬手段のルートディレクトリに、第１のファイル模擬手段１２（ａｕｔｏｒｕｎ．ｉｎｆ）及び第２のファイル模擬手段（ｉｎｓｔａｌｌ．ｅｘｅ）を用意しておき、前記第１のファイル模擬手段１２（ａｕｔｏｒｕｎ．ｉｎｆ）のファイルの内容を［Ａｕｔｏｒｕｎ］ＯＰＥＮ＝ｉｎｓｔａｌｌ．ｅｘｅと記述しておく。すると、オペレーションシステム（オートラン機能１８）の指示によってファイル読み出し模擬手段１１は第１のファイル模擬手段１２（ａｕｔｏｒｕｎ．ｉｎｆ）を読み出し、これをオペレーションシステムへ送出する。
【００２１】
オペレーションシステムは受けとったａｕｔｏｒｕｎ．ｉｎｆのファイル内容に記述されている文字ＯＰＥＮ＝ｉｎｓｔａｌｌ．ｅｘｅを解釈し、「ＯＰＥＮ＝」の部分が自動実行する命令であると認識し、同じルートディレクトリに存在する「ｉｎｓｔａｌｌ．ｅｘｅ」というファイルが自動実行するプログラム名（インストールの起動ファイル）であると特定する。
オペレーションシステムは起動ファイル（ｉｎｓｔａｌｌ．ｅｘｅ）をファイル読み出し模擬手段５を介して読み出しこれを実行する。ここで、起動ファイル（ｉｎｓｔａｌｌ．ｅｘｅ）の内容にインストールプログラム６の格納先（ソフト格納手段９）とこれを読み出す命令を記述しておく。
【００２２】
すると、起動ファイル（ｉｎｓｔａｌｌ．ｅｘｅ）の記述内容に従い、オペレーションシステムはファイル読み出し模擬手段１１を介して、ソフト格納手段９からインストールプログラム６を読み出し、これを実行する。ここで、前記インストールプログラム６は周辺機器１からパソコン２へカラオケソフト８（ドライバソフト）や「マイク」用ドライバ７（アプリケーションソフト）を自動的に導入するための手順を示したプログラムであって、カラオケソフト８や「マイク」用ドライバ７の格納先（プログラム格納手段９の場所）やプログラムを入手する手順が示されている。
【００２３】
オペレーションシステムは起動したインストールプログラム６に記述された内容に従い、同様にファイル読み出し模擬手段１１を介して第３のファイル模擬手段１４或いは第４のファイル模擬手段１５を読み出し、ここに記述された内容に従ってソフト格納手段９からマイク用ドライバ７（ドライバソフト）とカラオケソフト８（アプリケーションソフト）を順に読み出す。そして、これをメモリ（図示しない）にロードすると共にハードディスク（図示しない）にこれを書き込む。このとき、マイク用ドライバ７（ドライバソフト）をメモリ及びハードディスクに書き込む際、インストール先に既にドライバが存在するか否かを検索して、ドライバがインストール済みであればインストールを中止してカラオケソフト８（アプリケーションソフト）のインストールに移行し、既存のドライバソフトが存在しなければドライバソフトのインストールを開始するようにしておくと良い。
【００２４】
なお、前記マイク用ドライバ７及びカラオケソフト８に対応して第３のファイル模擬手段１４及び第４のファイル模擬手段１５とをＣＤ−ＲＯＭドライブ模擬手段５内に設けるようにしているが、これを省略しインストールプログラムの中に前記第３のファイル模擬手段１４及び第４のファイル模擬手段１５の内容を記述するようにしてもよい。
以上の手順でパソコンにマイク用ドライバ７（ドライバソフト）とカラオケソフト８（アプリケーションソフト）をインストールする作業は完了する。
【００２５】
ここで、パソコン３においてインストールしたカラオケソフト８（アプリケーションソフト）を起動すると、起動したアプリケーションソフトが直接ＵＳＢインタフェース４を介して、カラオケマイクが持つカラオケ機能要素１０にアクセスすることが可能となり、音量、音質、エコーの設定等といったカラオケ機能要素１０の制御が可能となる。ここでカラオケ機能要素１０の制御は直接ＵＳＢインタフェース４を介して行うようにしてもよいし、或いは事前にＣＤ−ＲＯＭ模擬手段５の中に第５のファイル模擬手段２２を形成しておき、ここを介して前記カラオケ機能要素１０を制御するといった方法でも良い。
【００２６】
なお、インストーラ６にカラオケソフト８（アプリケーションソフト）を起動する手順を記述しておいても良い。このようにすると、インストール終了後カラオケソフト８（アプリケーションソフト）が自動的に起動するので、カラオケソフト８を起動するユーザーの手間を省くことができる。また、ＣＤ−ＲＯＭドライブ模擬手段５への入出力をＵＳＢインタフェース４を介して行うようにしているので、パソコンの電源が起動した状態でそのまま周辺機器を接続することができるし、またインストール終了後にパソコンを再起動する必要もなくなるのでユーザの負担は全くなくなる。
【００２７】
以上のように、周辺機器１がＣＤ−ＲＯＭドライブ模擬手段５とソフト格納手段９とを備え、パソコン２が周辺機器１をＣＤ−ＲＯＭを装着した状態のＣＤ−ＲＯＭドライブとして認識しすると共に、オペレーションシステムが有するオートラン機能１８が自動的に働き、ソフト格納手段９に記憶されたインストーラ６、「マイク」用ドライバ７、カラオケソフト８が順次自動的にパソコンに導入されるようにしたので、ユーザーにインストール作業を負担させないコンピュータシステムの機能拡張方法を提供することができる。
【００２８】
なお、周辺機器１に設けたソフト格納手段９に格納するソフトは、パソコンで実行可能なマシン語コードであるのが一般的であるが、本発明にあってはこれに限らず、たとえばブラウザやＪＡＶＡエンジンが解釈できる中間コードであってもよいし、或いはパソコンのコマンド実行機能で実行可能なコマンド文字列であっても良い。更に、ソフト格納手段９にソフトを圧縮した状態で格納し、ファイル読み出し模擬手段１１がこれを伸張（解凍）した上で、パソコン側に引き渡すといった構成にしてもよい。また、更にソフト格納手段９の特定の場所（アドレス）にソフトを格納するようにしてもよいし、特定のアドレスに前記ソフトの大きさ（データサイズ）を記録しておいてもよいであろう。このようにすると、ファイル読み出し模擬手段９やソフト格納手段８が汎用化できると共に、当該ソフトの更新処理が簡単になるので便利である。
【００２９】
【発明の効果】
本発明により、周辺機器にＵＳＢインタフェースのＣＤ−ＲＯＭドライブ模擬手段とソフト格納手段を備え、周辺機器をパソコンに接続したときに、パソコンが周辺機器をＣＤ−ＲＯＭが装着した状態のＣＤ−ＲＯＭドライブとして自動的に認識するとともに、オペレーションシステムが有するＣＤ−ＲＯＭドライブのオートラン機能が働き、ソフト格納手段に記憶されたインストールプログラム、ドライバソフト、アプリケーションソフトが順次自動的にパソコンにインストールされるようにしたので、ユーザー側のインストール作業を全く不要とする周辺機器の機能拡張方式を提供するのに著効を奏す。
【図面の簡単な説明】
【図１】本発明に係る周辺機器の機能拡張方式を示すブロック図。
【符号の説明】
１、３…周辺機器
２…パソコン
４、１６、２０…ＵＳＢインタフェース
５…ＣＤ−ＲＯＭ模擬手段
６…インストーラ
７…「マイク」用ドライバ
８…カラオケソフト
９…ソフト格納手段
１０…マイク機能要素
１１…ファイル読み出し模擬手段
１２…第１のファイル模擬手段
１３…第２のファイル模擬手段
１４…第３のファイル模擬手段
１５…第４のファイル模擬手段
１７…プラグアンドプレイ機能
１８…オートラン機能
１９…スピーカ用ドライバ
２１…第５のファイル模擬手段
【図１】
2004272764.tif 000003